(57)【要約】【課題】本発明は、上記事情に鑑み、適切な画質やサイズで画像データを記録することが出来る撮影装置を提供する。【解決手段】被写体光の像を撮影することにより、その被写体光の像を表す画像データを得る撮影部と、前記撮影部で得られた前記画像データに対して、該画像データが前記撮影部で得られた後にデータの形態が指定される形態指定部と、前記撮影部で得られた画像データを、前記形態指定部で指定された形態で記録するデータ記録部とを備える。【選択図】図３
2007151037.tif 000002
【特許請求の範囲】
【請求項１】
被写体光の像を撮影することにより、その被写体光の像を表す画像データを得る撮影部と、
前記画像データに対して、該画像データが前記撮影部で得られた後に操作を受けてデータの形態が指定される形態指定部と、
前記撮影部で得られた画像データを、前記形態指定部で指定された形態で記録するデータ記録部とを備えたことを特徴とする撮影装置。
【請求項２】
前記形態指定部は、前記形態として、データの圧縮形式が指定されるものであり、
前記データ記録部が、前記撮像部で得られた画像データを、前記形態指定部で指定された圧縮形式で圧縮して記録するものであることを特徴とする請求項１記載の撮影装置。
【請求項３】
前記形態指定部は、前記形態として、データの圧縮率が指定されるものであり、
前記データ記録部が、前記撮像部で得られた画像データを、前記形態指定部で指定された圧縮率で圧縮して記録するものであることを特徴とする請求項１記載の撮影装置。
【発明の詳細な説明】
【技術分野】
【０００１】
本発明は、画像データを記憶する撮影装置に関する。
【背景技術】
【０００２】
近年の撮影装置の普及は目覚しく、一眼レフカメラに代表される高機能・高性能な撮影装置から、携帯電話やＰＤＡ（Ｐｅｒｓｏｎａｌ  Ｄｉｇｉｔａｌ  Ａｓｓｉｓｔａｎｃｅ）などの移動端末に搭載されている簡易な撮影装置まで、様々な種類の撮影装置が広範に用いられている。
【０００３】
上記の撮影装置には、撮影されて得た画像データを記憶媒体に記録する機能が一般的に備えられており、これらの撮影装置の中には、画像データの形態として複数の形式やサイズからユーザによって選択され、選択された形態で撮影する機能が備えられた撮影装置がある（特許文献１〜３）。
【０００４】
一般的に、サイズが大きい画像データは高画質であり、サイズの小さい画像データは低画質であるため、従来の撮影装置で撮影が行われる際には、ユーザはメモリ残量や撮影で得たい画質や撮影したい枚数等を考慮し、画像データの形式やサイズを決めて撮影している。
【特許文献１】特開平１１−２６１９３３号公報
【特許文献２】特開２００３−１２５２０９号公報
【特許文献３】特開２００２−１１２１７６号公報
【発明の開示】
【発明が解決しようとする課題】
【０００５】
しかし、このような撮影装置では、例えば、枚数重視で低画質の画像データによる撮影を行っていた時に、たまたまシャッターチャンスに恵まれて撮影したら、画質に不満が残ったという不都合や、画質重視で大サイズの画質データによる撮影を行っていると、記憶媒体の空き容量が不足して、その後のシャッターチャンスを逃してしまったという不都合が生じる。
【０００６】
本発明は、上記事情に鑑み、適切な画質やサイズで画像データを記録することが出来る撮影装置を提供することを目的とする。
【課題を解決するための手段】
【０００７】
上記課題を解決する本発明の撮影装置は、
被写体光の像を撮影することにより、その被写体光の像を表す画像データを得る撮影部と、
上記画像データに対して、その画像データが上記撮影部で得られた後に操作を受けてデータの形態が指定される形態指定部と、
上記撮影部で得られた画像データを、上記形態指定部で指定された形態で記録するデータ記録部とを備えたことを特徴とする。
【０００８】
本発明の撮影装置によれば、上記形態指定部と上記データ記録部が備えられている為、撮影後にデータの形態を指定して画像データを記録することが出来て、例えば、通常撮影の場合には、データ量が小さい状態で記録して、記憶媒体の容量を抑え、たまたまシャッターチャンスに恵まれた場合には、高画質の形態で記録して所望の画質を得るといった運用ができる。従って、本発明の撮影装置では、適切な画質やサイズで画像データを記録することが出来る。
【０００９】
本発明の撮影装置は、
上記形態指定部は、上記形態として、データの圧縮形式が指定されるものであり、
上記データ記録部が、上記撮像部で得られた画像データを、上記形態指定部で指定された圧縮形式で圧縮して記録するものであることが望ましい。
【００１０】
この望ましい撮影装置においては、撮影毎に圧縮形式が指定され画像データが記録されるので、例えば、撮影された被写体が、色の階調が微妙なものである場合には、ＪＰＥＧ形式を指定し、イラストのような色の階調がはっきりした被写体の圧縮の場合には、ＧＩＦ形式を指定するといった、被写体画像によった圧縮形式の選択が可能となる。
【００１１】
本発明の撮影装置は、
上記形態指定部は、上記形態として、データの圧縮率が指定されるものであり、
上記データ記録部が、上記撮像部で得られた画像データを、上記形態指定部で指定された圧縮サイズで圧縮して記録するものであることが望ましい。
【００１２】
この望ましい撮影装置において、撮影毎に圧縮率が指定され、画像データが記憶されるので、例えば、通常の撮影が行われる場合には、圧縮率を大きく指定して記憶媒体の容量を抑えて記録し、たまたまシャッターチャンスに恵まれて、会心の撮影が行われた場合には、圧縮率を小さく指定し高解像度のまま画像データを記録するといった、圧縮率の選択が可能となる。
【発明の効果】
【００１３】
以上説明したように本発明の撮影装置は、適切な画質やサイズで画像データを記録することが出来る。
【発明を実施するための最良の形態】
【００１４】
以下、図面を参照して本発明の撮影装置の実施の形態を説明する。
【００１５】
図１は、第１の実施形態であるデジタルカメラを前面斜め上から見た外観斜視図であり、図２は、第１の実施形態のデジタルカメラを背面斜め上から見た外観斜視図である。
【００１６】
図１に示すように、このデジタルカメラ１００の前面中央部には、撮影レンズ１０１が備えられている。また、このデジタルカメラ１００の前面上部には、光学式ファインダ対物窓１０２および閃光発光部１０３が備えられている。さらに、このデジタルカメラ１００の上面には、スライド式の電源スイッチ１０４、静止画撮影を指示するレリーズスイッチ１０５が備えられている。
【００１７】
さらに図２で示すように、このデジタルカメラ１００の背面には、光学式ファインダ接眼窓１０６，メニューボタン１０７，実行／画面切換スイッチ１０８，ＬＣＤパネル１０９，十字キー１１０，モードダイヤル１１１，ＢＡＣＫボタン１１２が備えられている。
【００１８】
メニューボタン１０７は、撮影時や再生時における各種のメニューを表示したり、選択されたメニューを決定するボタンである。
【００１９】
ＬＣＤパネル１０９は、第１のデジタルカメラ１００で被写体光を捉えて生成された画像データに基づく画像、及びメッセージ表示用の文字データに基づくメッセージを表示する。
【００２０】
モードダイヤル１１１は、図の両矢印で示す方向に回転することができるダイヤルとなっており、ユーザは、このモードダイヤル１１１を操作することによって、静止画撮影モード（Ｃａｍ），再生モード（Ｐｌａｙ），動作設定を行うモードである動作設定モード（Ｓｅｔｕｐ）の３つのモードが選択できる。この図２では、再生モード（Ｐｌａｙ）が選択された状態が示されている。
【００２１】
ＢＡＣＫボタン１１２は、実行／画面切換スイッチ１０８等による操作状態を、１つ前に戻したり、取り消したりするボタンである。
【００２２】
図３は、図１および図２に外観を示すデジタルカメラの内部構成図である。
【００２３】
図３では、図１および図２に示すモードダイヤル１１１やレリーズスイッチ１０５などの各種のスイッチやボタンは、操作部２０８として一括して示されている。従って、例えばレリーズスイッチ１０５が押されることによる静止画撮影の指示などは、この操作部２０８の操作に含まれる。
【００２４】
デジタルカメラ１００には、デジタルカメラ１００の各部の制御を行うＣＰＵ２１０、ＣＰＵ２１０が実行する動作の手順を示したプログラムが格納されるメモリであるＲＯＭ２０９が備えられており、操作部２０８が操作されると、このプログラムに従ってＣＰＵ２１０が、その操作に応じた処理を実行する。また、デジタルカメラ１００には、各部の処理プロセスの進行状況に応じて変数となるデータが随時書き込まれるＲＡＭ２１１が備えられている。そして、ＣＰＵ２１０は各部との間でバス１２００を介してデータの受け渡しを行うことで、上述した処理を実行する。
【００２５】
また、デジタルカメラ１００には、フォーカスレンズ、ズームレンズ、絞りなどの不図示の光学系や、撮像素子の１種であるＣＣＤが配備された撮像部２０１が備えられており、図で一点鎖線で示す被写体光は、常時、この撮像部２０１内のＣＣＤにおいて、被写体光を表わすアナログの画像信号に変換される。このアナログの画像信号は、信号処理部２０２において処理され、最終的にデジタル化された画像データとなり、画像表示の制御を行う画像表示部２０３を介してＬＣＤパネル１０９上に、この画像データで表された画像（いわゆるスルー画）が表示される。
【００２６】
ここで、撮像部２０１が、本発明にいう撮影部の一例に相当する。
【００２７】
さらに、図２で示したモードダイヤル１１１が操作され、静止画撮影モード（Ｃａｍ）が選択されて、図１で示したレリーズスイッチ１０５が操作された場合には、信号処理部２０２において処理された画像データが、一時的にバッファメモリ２０７に保存され、画像記録部２０５を介してメモリカード２０６に記録される。この画像記録部２０５とメモリカード２０６が、本発明にいうデータ記録部の一例を構成している。
【００２８】
本実施形態のデジタルカメラ１００には、２つの記録方式が備えられており、第１の記録方式は、撮影前に画像データの圧縮形式を予め定めて記録する方式である。また、第２の記録方式は、撮影後に被写体画像を確認した後、画像データの圧縮形式を定め、記録する方式である。
【００２９】
以下、本実施形態の各記録方式について説明するが、はじめに、各記録方式をユーザが選択するためのメニュー操作について説明する。
【００３０】
まず、図２で示されたモードダイヤル１１１が動作設定モード（Ｓｅｔｕｐ）に合わされ、デジタルカメラ１００に備えられた各種の機能が選択される動作設定モードのメニュー画面がＬＣＤパネル上に表示される。
【００３１】
図４は、動作設定モードのメニュー画面を示す図である。
【００３２】
図４に示したメニュー画面４００には、「ＣＣＤ−ＲＡＷ」，「メディア」，「パワーセーブ」，「撮影画像表示」という４つの選択肢と、十字キーが操作されることで上記選択肢間を移動するカーソル４０１が示されており、画面下部には「ＥＸＥ  決定」，「ＢＡＣＫ  キャンセル」の指示表示が示されている。以下、これらの指示表示が示されている場合には、実行／画面切換スイッチが押されると決定され、ＢＡＣＫボタンが押されるとキャンセルされることを意味する。
【００３３】
ここで、「ＣＣＤ−ＲＡＷ」が選択されると、メニュー画面４００上に、圧縮形式を選択する選択肢が表示される。
図５は、圧縮形式の選択肢が表示されたメニュー画面を示す図である。なお、第１の実施形態のデジタルカメラ１００では、選択される圧縮形式について、ＣＣＤ−ＲＡＷ形式又はＪＰＥＧ形式の２種類の内どちらかが選択されるものとする。
【００３４】
図５に示したメニュー画面４００には、「ＣＣＤ−ＲＡＷ」の右列に「ＯＦＦ」，「ＯＮ」の選択肢と、上記選択肢間を移動するカーソル４０２が表示されており、ここで、「ＯＦＦ」が選択されて決定されると、撮影時に画像データをＪＰＥＧ形式で記録することが選択される。一方、「ＯＮ」が選択されて決定されると、撮影時に画像データをＣＣＤ−ＲＡＷ形式で記録することが選択される。圧縮形式の選択は、このような手順で行われる。
図４のメニュー画面４００上で「撮影画像表示」が選択された場合には、メニュー画面４００上に、撮影後の画像確認に関する選択肢が表示される。
【００３５】
図６は、画像確認の選択肢が表示されたメニュー画面を示す図である。
【００３６】
図６に示したメニュー画面４００には、「撮影画像表示」の右列に並べられた「ＯＦＦ」，「ＯＮ」，「確認」の選択肢と、上記選択肢間を移動するカーソル４０３が示されており、ここで「ＯＦＦ」が選択されて決定されると、撮影時には被写体画像の確認表示無しで画像データが記録される。また、「ＯＮ」が選択されて決定されると、撮影時にＬＣＤパネル上で被写体画像の確認表示が行われてから画像データが記録される。これら「ＯＦＦ」,「ＯＮ」が選択された時の圧縮形式は、図５で説明したように選択された圧縮形式である。これに対し、「確認」が選択されて決定されると、予め選択された圧縮形式は無視され、撮影後、画像データはＣＣＤ−ＲＡＷ形式でＲＡＭに一旦保存され、ＬＣＤパネル上に被写体画像が確認表示され、ユーザの操作によって圧縮形式が選択されて記録される。
【００３７】
つまり、「ＣＣＤ−ＲＡＷ」で圧縮形式が選択され、「撮影画像表示」の「ＯＮ」,「ＯＦＦ」いずれかが選択されると、上記の第１の記録方式が選択されたこととなり、「確認」が選択されると、上記の第２の記録方式が選択されたこととなる。
なお、本論から外れるが、図４のメニュー画面４００上で「メディア」が選択されると、特に選択肢は示さないが、画像データをデジタルカメラに備えられた記憶媒体で記憶するか、外部の記憶媒体で記憶するかを選択する選択肢が表示されて選択される。また、「パワーセーブ」が選択されると、特に選択肢は示さないが、無操作状態からパワーセーブ状態に移行するまでの移行時間を選択する選択肢が表示されて移行時間が選択される。
【００３８】
次に、本実施形態における画像データの記録処理について説明する。この記録処理では、上述した第１の記録方式と第２の記録方式が、上述した選択に従って実行される。
【００３９】
図７は、第１の実施形態における記録処理を表すフローチャートである。
【００４０】
ステップＳ１では、図４〜図６を参照して説明したように、記録方式の選択が行われ、その後、図２で示されたモードダイヤル１１１が静止画撮影モード（Ｃａｍ）に合わされ、シャッターレリーズボタン１０５が押下されると撮影が実行されて、画像データが取得される（図７のステップＳ２）。その後、図６を参照して説明した「ＯＮ」，「ＯＦＦ」，「確認」の選択に従って分岐が行われる（図７のステップＳ３）。
【００４１】
以下では、説明の便宜上、「ＯＮ」又は「ＯＦＦ」が選択されていて第１の記録方式が実行される手順について説明し、その後で、「確認」が選択されていて第２の記録方式が実行される手順について説明する。第１の記録方式が実行される場合は、図６の選択で「ＯＮ」が選択されていると、ＬＣＤパネル上に所定の時間だけ被写体画像が確認表示されて（図７のステップＳ９）ステップＳ６へ進み、「ＯＦＦ」が選択されていると、表示なしでステップＳ６へ進む。また、第１の記録方式では、ステップＳ６で、図５を参照して説明した「ＯＮ」，「ＯＦＦ」の選択に従った分岐が行われ、「ＯＮ」が選択されていると（図７のステップＳ６：Ｙｅｓ）、画像データがＣＣＤ−ＲＡＷ形式で圧縮処理され（図７のステップＳ７）、メモリカードに記録されて（図７のステップＳ８）、記録処理が終了する。一方、ステップＳ６の分岐における判断で、図５の選択では「ＯＦＦ」が選択されていたと判断されていた場合には（図７のステップＳ６：Ｎｏ）、画像データがＪＰＥＧ形式で圧縮処理され（図７のステップＳ１０）、メモリカードに記録されて（図７のステップＳ８）、この記録処理が終了する。
このように、第１の記録方式が選択されると、撮影前に選択されていた圧縮形式で画像データがメモリカードに記録される。
【００４２】
第２の記録方式が実行される場合には、上記のステップＳ３では「確認」が選択されており、ＬＣＤパネル上に被写体画像と圧縮形式を選択する選択肢が確認表示される（図７のステップＳ４）。
【００４３】
図８は、圧縮形式を選択する選択肢が表示された画面を示す図である。
【００４４】
この図に示された画面５００上には、撮影で得られた被写体画像が表示されており、画面下部には、「ＪＰＥＧ」，「ＣＣＤ−ＲＡＷ」の２つの選択肢と、これらの選択肢間を移動するカーソル５０１とが表示されている。「ＪＰＥＧ」が選択されると、画像データの圧縮形式としてＪＰＥＧ形式が選択され、「ＣＣＤ−ＲＡＷ」が選択されると、画像データの圧縮形式としてＣＣＤ−ＲＡＷ形式が選択される。この画面５００上で画像データの圧縮形式が選択された後（図７のステップＳ４）、ＬＣＤパネル上では、図示はしないが、撮影された被写体画像をキャンセル「する」か「しない」かの選択も行われる（図７のステップＳ５）。
【００４５】
ここで、「する」が選択されると（図７のステップＳ５：Ｙｅｓ）、記録処理はそのまま終了し、「しない」が選択されると（図７のステップＳ５：Ｎｏ）、ステップＳ４で選択された圧縮形式に従って分岐が行われる（図７のステップＳ６）。ステップＳ４で「ＣＣＤ―ＲＡＷ」が選択されていると（図７のステップＳ６：Ｙｅｓ）、画像記録部によって画像データがＣＣＤーＲＡＷ形式で記録処理され（図７のステップＳ７）、メモリカードに記録されて（図７のステップＳ８）、記録処理が終了する。また、一方、ステップＳ６の分岐の判断で、ステップＳ４の選択では「ＪＰＥＧ」が選択されていたと判断された場合には（図７のステップＳ６：Ｎｏ）、画像記録部によって画像データがＪＰＥＧ形式で記録処理され（図７のステップＳ１０）、メモリカードに記録されて（図７のステップＳ８）、記録処理が終了する。
【００４６】
このように、第２の記録方式が選択されると、撮影毎に被写体画像がＬＣＤパネルに確認表示され、画像データの圧縮形式が選択され、その圧縮形式でメモリカードに記録される。このとき、圧縮形式の選択肢が画面表示されるＬＣＤパネルと、ユーザが選択のために操作する十字キーや実行／画面切換スイッチと、それら十字キー等の操作を受けてデータ記録の制御を行うＣＰＵとによって本発明にいう形態指定部の一例が構成されている。
【００４７】
以上説明したように、第１の実施形態のデジタルカメラ１００は、第１の記録方式と第２の記録方式を選択することが出来、第２の記録方式が選択されることで、個々の撮影画像に適した画質で画像データを記録することが出来る。
【００４８】
次に、撮影された画像データの圧縮サイズをユーザが指定することが出来る機能を備えた第２の実施形態のデジタルカメラ２００について説明する。なお、以下説明する第２の実施形態のデジタルカメラ２００は、上述した画像データの圧縮形式が選択される機能に替えて、画像データの圧縮サイズが選択される機能が備えられていること以外は、第１の実施形態のデジタルカメラ１００と同様の装置であるため、以下では重複説明を省略し、画像データの圧縮サイズが選択される機能についてのみ説明する。
【００４９】
この第２の実施形態のデジタルカメラ２００には、２つの記録方式が備えられており、第１の記録方式は、画像データの圧縮サイズを撮影前に予め選択しておいて記録する方式である。また、第２の記録方式は、撮影後に被写体画像を確認した後、画像データの圧縮サイズを選択して記録する方式である。
【００５０】
以下、本実施形態の各記録方式について説明するが、はじめに、各記録方式をユーザが選択するためのメニュー操作について説明する。
【００５１】
まず、図２で示されたモードダイヤル１１１が動作設定モード（Ｓｅｔｕｐ）に合わされ、デジタルカメラ２００に備えられた各種の機能が選択される動作設定モードのメニュー画面がＬＣＤパネルに表示される。
【００５２】
図９は、動作設定モードのメニュー画面を示す図である。
【００５３】
図９に示したメニュー画面６００には、「圧縮サイズ」，「メディア」，「パワーセーブ」，「撮影画像表示」という４つの選択肢と、上記選択肢間を移動するカーソル６０１が示されており、画面下部には「ＥＸＥ  決定」，「ＢＡＣＫ  キャンセル」の指示表示が示されている。
【００５４】
ここで、「圧縮サイズ」が選択されると、メニュー画面６００上に、圧縮サイズを選択する選択肢が表示される。
【００５５】
図１０は、圧縮サイズが表示されたメニュー画面示す図である。
【００５６】
図１０に示したメニュー画面６００には、「圧縮サイズ」の右列に「１０Ｍ」，「５Ｍ」，「２Ｍ」，「１Ｍ」の選択肢と、上記選択肢間を移動するカーソル６０２が表示されており、ここで、「１０Ｍ」が選択され決定されると、圧縮サイズとして１０Ｍが選択される。その他の選択肢についても同様で、選択された選択肢として表記された圧縮サイズが選択される。圧縮サイズの選択は、このような手順で行われる。
【００５７】
図９のメニュー画面６００上で「撮影画像表示」が選択された場合には、メニュー画面４００上に、撮影後の画像確認に関する選択肢が表示される。
【００５８】
図１１は、画像確認の選択肢が表示されたメニュー画面を示す図である。
【００５９】
図１１に示したメニュー画面６００には、「撮影画像表示」の右列に並べられた「ＯＦＦ」，「ＯＮ」，「確認」の選択肢と、上記選択肢間を移動するカーソル６０３が示されており、ここで、「ＯＦＦ」が選択され決定されると、撮影時には被写体画像の確認表示無しで画像データが記録される。また、「ＯＮ」が選択されて決定されると、撮影時にＬＣＤパネル上で被写体画像の確認表示が行われてから画像データが記録される。これら「ＯＦＦ」，「ＯＮ」が選択された時の圧縮サイズは、図１０で説明したように選択された圧縮サイズである。これに対し、「確認」が選択されて決定されると、予め選択された圧縮サイズは無視され、撮影後、画像データは圧縮されずにＲＡＭに一旦保存され、ＬＣＤパネル上に被写体画像が確認表示され、ユーザの操作によって圧縮サイズが選択されて記録される。
【００６０】
つまり、「圧縮サイズ」で圧縮サイズが選択され、「撮影画像表示」の「ＯＮ」,「ＯＦＦ」いずれかが選択されると、上記の第１の記録方式が選択されたこととなり、「確認」が選択されると、上記の第２の記録方式が選択されることとなる。
【００６１】
なお、「メディア」,「パワーセーブ」の選択については、第１の実施形態と同様なので、ここでは重複説明を省略する。
【００６２】
次に、本実施形態における画像データの記録処理について説明する。この記録処理では、上述した第１の記録方式と第２の記録方式が、上述した選択に従って実行される。
【００６３】
図１２は、第２の実施形態における記録処理を表すフローチャートである。
【００６４】
ステップＳ１１では、図９〜図１１を参照して説明したように、記録方式の選択が行われ、その後、図２で示されたモードダイヤル１１１が静止画撮影モード（Ｃａｍ）に合わされ、シャッターレリーズボタン１０５が押下されると、撮影が実行されて、画像データが取得される（図１２のステップＳ１２）。その後、図１１を参照して説明した「ＯＮ」，「ＯＦＦ」，「確認」の選択に従って分岐が行われる（図１２のステップＳ１３）。
【００６５】
以下では、説明の便宜上、「ＯＮ」又は「ＯＦＦ」が選択されていて第１の記録形式が実行される手順について説明し、その後で、「確認」が選択されていて第２の記録方式が実行される手順について説明する。第１の記録方式が実行される場合は、図１１の選択で「ＯＮ」が選択されていると、ＬＣＤパネル上に所定の時間だけ被写体画像が確認表示されて（図１２のステップＳ１８）ステップＳ１６へ進み、「ＯＦＦ」が選択されていると、表示無しでステップＳ１６へ進む。そして、画像データは、図１０で選択された圧縮サイズで圧縮され、ＪＰＥＧ形式でメモリカードに記録されて（図１２のステップＳ１７）、この記録処理が終了する。
【００６６】
このように、第１の記録方式が選択されると、撮影前に選択されていた圧縮サイズで画像データがメモリカードに記録される。
【００６７】
第２の記録方式が実行される場合には、上述のステップＳ１３では「確認」が選択されており、ＬＣＤパネル上に被写体画像と圧縮サイズを選択する選択肢が確認表示される（図１２のステップＳ１４）。
【００６８】
図１３は、圧縮サイズを選択する選択肢が表示された画面を示す図である。
【００６９】
この図に示された画面７００上には、撮影されて得た被写体像が表示されており、画面下部には、「１Ｍ」，「２Ｍ」，「５Ｍ」，「１０Ｍ」の４つの選択肢と、これらの選択肢間を移動するカーソル７０１とが表示されている。「１Ｍ」が選択されると、画像データの圧縮サイズとして１Ｍが選択され、他の選択肢も同様に、選択肢の表記と同じサイズが選択される。この画面７００上で画像データの圧縮サイズが選択された後（図１２のＳ１４）、ＬＣＤパネル上では、図示はしないが、撮影された被写体画像をキャンセル「する」か「しない」かの選択も行われる（図１３のステップＳ１５）。
【００７０】
ここで、「する」が選択されると（図１３のステップＳ１５：Ｙｅｓ）、記録処理はそのまま終了し、「しない」が選択されると（図１３のステップＳ１５：Ｎｏ）、ステップＳ１４で選択された圧縮サイズで圧縮され、ＪＰＥＧ形式でメモリカードに記録されて（図１２のステップＳ１７）、この記録処理が終了する。
【００７１】
このように、第２の記録方式が選択されると、撮影毎に被写体画像がＬＣＤパネルに確認表示され、画像データの圧縮サイズが選択され、その圧縮サイズでメモリカードに記録される。このとき、圧縮サイズの選択肢が画面表示されるＬＣＤパネルと、ユーザが選択のために操作する十字キーや実行／画面切換スイッチと、それら十字キー等の操作を受けてデータ記録の制御を行うＣＰＵとによって本発明にいう形態指定部の一例が構成されている。
【００７２】
以上の説明したように、第２の実施形態のデジタルカメラ２００も、第１の記録方式と第２の記録方式を選択することが出来、第２の記録方式が選択されることで、個々の撮影画像に適した画質で画像データを記録することが出来る。
【００７３】
なお、上記説明ではデジタルカメラに本発明を適用した例で説明したが、本発明はこれに限られるものではなく、例えば、撮影機能を有する携帯電話や携帯情報端末などにも適用することが出来るし、動画を撮影するビデオカメラにも適用することも出来る。
【図面の簡単な説明】
【００７４】
【図１】第１の実施形態であるデジタルカメラを前面斜め上から見た外観斜視図である。
【図２】第１の実施形態のデジタルカメラを背面斜め上から見た外観斜視図である。
【図３】図１および図２に外観を示すデジタルカメラの内部構成図である。
【図４】動作設定モードのメニュー画面を示す図である。
【図５】圧縮形式の選択肢が表示されたメニュー画面を示す図である。
【図６】画像確認の選択肢が表示されたメニュー画面を示す図である。
【図７】第１の実施形態における記録処理を表すフローチャートである。
【図８】圧縮形式を選択する選択肢が表示された画面を示す図である。
【図９】動作設定モードのメニュー画面を示す図である。
【図１０】圧縮サイズが表示されたメニュー画面示す図である。
【図１１】画像確認の選択肢が表示されたメニュー画面を示す図である。
【図１２】第２の実施形態における記録処理を表すフローチャートである。
【図１３】圧縮サイズを選択する選択肢が表示された画面を示す図である。
【符号の説明】
【００７５】
１００  デジタルカメラ
１０１  撮影レンズ
１０２  光学式ファインダ対物窓
１０３  閃光発光部
１０４  電源スイッチ
１０５  レリーズスイッチ
１０６  光学式ファインダ接眼窓
１０７  メニューボタン
１０８  実行／画面切換スイッチ
１０９  ＬＣＤパネル
１１０  十字キー
１１１  モードダイヤル
１１２  ＢＡＣＫボタン
１２００  バス
２０１  撮像部
２０２  画像信号処理部
２０３  画像表示部
２０４  ＬＣＤパネル
２０５  画像記録部
２０６  メモリカード
２０７  バッファメモリ
２０８  操作部
２０９  ＲＯＭ
２１０  ＣＰＵ
２１１  ＲＡＭ
３００  メニュー画面
３０１  カーソル
４００  メニュー画面
４０１  カーソル
４０２  カーソル
４０３  カーソル
５００  確認画面
５０１  カーソル
６００  メニュー画面
６０１  カーソル
６０２  カーソル
６０３  カーソル
７００  確認画面
７０１  カーソル
【図１】
2007151037.tif 000003
【図２】
2007151037.tif 000004
【図３】
2007151037.tif 000005
【図４】
2007151037.tif 000006
【図５】
2007151037.tif 000007
【図６】
2007151037.tif 000008
【図７】
2007151037.tif 000009
【図８】
2007151037.tif 000010
【図９】
2007151037.tif 000011
【図１０】
2007151037.tif 000012
【図１１】
2007151037.tif 000013
【図１２】
2007151037.tif 000014
【図１３】
2007151037.tif 000015